(57)【特許請求の範囲】
【請求項１】
水を収容可能なボトル本体（２１）と、
このボトル本体（２１）の口部（２２）に取り付けられ、ボトル本体（２１）内の水をペットに給水できる、平面視でボトル本体（２１）よりも外方へ突出する給水ノズル（２３）と、
を備えた給水ボトル（２０）を、前記給水ノズル（２３）が下方に位置するように倒立状態で支持するホルダーであって、
前記ボトル本体（２１）の肩部（２４）を下方から支持するとともに、ボトル本体（２１）の口部（２２）を下方に突出させる口部用開口（１１）を形成する肩支持部（１４）と、
この肩支持部（１４）から上方へ連なり、前記ボトル本体（２１）の胴部（２５）を倒立させるように外周方向から支持する胴支持部（１５）と、
この胴支持部（１５）の上部において設けられ、前記給水ノズル（２３）を逃がすノズル逃がし口（１２）を有し、前記給水ボトル（２０）を倒立状態で入れるためのボトル入れ口（１３）と、
このボトル入れ口（１３）の前記ノズル逃がし口（１２）と前記口部用開口（１１）とに連通し、前記給水ノズル（２３）を通すことのできるノズル通し路（１６）と、
を備え、
前記ノズル通し路（１６）を前面側ノズル通し路（１６）とし、
前記胴支持部（１５）の背面側に、被取付部（３０）に取り付け可能な取付部（１７）を設けるとともに、
背面側において前記口部用開口（１１）から上方へ連なり、前記給水ノズル（２３）を通すことのできる背部側ノズル通し路（１８）を設けたことを特徴とする給水ボトルホルダー。
【請求項２】
請求項１において、
前記ボトル入れ口（１３）を、背面側（１３ｒ）に比べて前面側（１３ｆ）の方を低くしたことを特徴とする給水ボトルホルダー。
【請求項３】
請求項１または２において、
前記肩支持部（１４）は、平面視で、円弧状としたことを特徴とする給水ボトルホルダー。
【発明の詳細な説明】
【技術分野】
【０００１】
本発明は、給水ボトルホルダーに関するものである。
より詳しくは、犬、猫等のペットに給水するための給水ボトルを倒立状態で支持することができる給水ボトルホルダー（以下単にボトルホルダーまたはホルダーともいう）に関するものである。
【背景技術】
【０００２】
従来、例えば特許文献１に見られるように、「基材部１ａの前部には飼育かごＰのかご線１０ｂに掛止される掛止部１ｇ，１ｈ，１ｈが形成され、基材部１ａの後部にスペーサー１ｆ及び左右の挟持板１ｃ，１ｃからなる給水ボトル２の保持部が形成され、さらに基材部１ａの下部には前記給水管が横振れを規制する長孔１ｋからなる規制部が形成されてなる」給水ボトルの飼育かご取付用ホルダー（同文献要約欄）が知られている。
【０００３】
このホルダーは、同文献００３４段落に記載されているように、
「先ず、図７に示すように、上下逆さ向けにした給水ボトル２を手で持って、給水ボトル２の斜下方に突出している給水管４の先端部を、本発明に係るホルダー１の長孔１ｋから、２本のかご線１０ｂ，１０ｂ間の隙間を通して、この給水管４の先端部を飼育かご内に向けた状態で、図８に示すように、給水ボトル２のキャップ３を本発明に係るホルダー１の挟持板部１ｃ，１ｃ間に押し入れて、このキャップ３をスペーサー１ｆ，１ｆ端に接当させて、２枚の挟持板１ｃ，１ｃで挟持させて本発明に係るホルダー１で給水ボトル１を保持させる」ものである。
【０００４】
すなわち、このホルダーを使用するには、給水管４の先端部を長孔１ｋに通し、かつその状態を保ちながら、給水ボトル２のキャップ３を挟持板部１ｃ，１ｃ間に押し入れて、このキャップ３をスペーサー１ｆ，１ｆ端に接当させて、２枚の挟持板１ｃ，１ｃで挟持させるという作業が必要であり、これらの作業が煩雑である。
【０００５】
なお、従来、例えば特許文献２に見られるように、「逆さにして底を切り取ったペットボトルを植木鉢としてベランダの手摺等に掛けて設置する」ことを目的とし、「ハンガー本体１に、このハンガー本体１を吊下げる吊下げ部２と、ペットボトル31を載置する載置部３と、この載置部３に載置されたペットボトル31を保持する保持部４とを一体に形成した」ペットボトルハンガー（同文献要約欄）が知られている。
【０００６】
しかし、このペットボトルハンガーは、逆さにして底を切り取ったペットボトルを植木鉢として用いるためのものであり、ボトル本体内の水をペットに給水できる平面視でボトル本体よりも外方へ突出する給水ノズル（以下単にノズルともいう）を有する給水ボトルのためのものではないので、給水ボトルホルダーとして利用するのは困難である。
【先行技術文献】
【特許文献】
【０００７】
【特許文献１】特開特開２００１−６７号公報
【特許文献２】実用新案登録第３０８４６０５号公報
【発明の概要】
【発明が解決しようとする課題】
【０００８】
本発明が解決しようとする課題は、給水ノズルを有する給水ボトルを保持させる操作が容易な給水ボトルホルダーを提供することである。
【課題を解決するための手段】
【０００９】
上記課題を解決するために本発明の給水ボトルホルダーは、
水を収容可能なボトル本体と、
このボトル本体の口部に取り付けられ、ボトル本体内の水をペットに給水できる、平面視でボトル本体よりも外方へ突出する給水ノズルと、
を備えた給水ボトルを、前記給水ノズルが下方に位置するように倒立状態で支持するホルダーであって、
前記ボトル本体の肩部を下方から支持するとともに、ボトル本体の口部を下方に突出させる口部用開口を形成する肩支持部と、
この肩支持部から上方へ連なり、前記ボトル本体の胴部を倒立させるように外周方向から支持する胴支持部と、
この胴支持部の上部において設けられ、前記給水ノズルを逃がすノズル逃がし口を有し、前記給水ボトルを倒立状態で入れるためのボトル入れ口と、
このボトル入れ口の前記ノズル逃がし口と前記口部用開口とに連通し、前記給水ノズルを通すことのできるノズル通し路と、
を備え、
前記ノズル通し路を前面側ノズル通し路とし、
前記胴支持部の背面側に、被取付部に取り付け可能な取付部を設けるとともに、
背面側において前記口部用開口から上方へ連なり、前記給水ノズルを通すことのできる背部側ノズル通し路を設けたことを特徴とする。
【００１０】
この給水ボトルホルダーは上記の構成となっているので、
給水ノズルが下方に位置するようにして給水ボトルを持ち、ボトルホルダーの胴支持部の上部のボトル入れ口に、ノズル通し路にノズルを通すようにして、給水ボトルを入れる。
すると、ノズルはノズル通し路を通り、ボトル本体の肩部が肩支持部で下方から支持されて口部用開口からボトル本体の口部が下方に突出するとともに、ボトル本体の胴部が胴支持部によって外周方向から支持され、これによって、給水ボトルがボトルホルダーによって支持されることとなる。
【００１１】
すなわち、この給水ボトルホルダーによれば、給水ノズルが下方に位置するようにして給水ボトルを持ち、ボトルホルダーの胴支持部の上部のボトル入れ口に、ノズル通し路にノズルを通すようにして、給水ボトルを入れる（落とし込む）だけで、給水ボトルを保持させることができるため、その操作が容易になる。
【００１２】
また、この給水ボトルホルダーは、
前記ノズル通し路を前面側ノズル通し路とし、
前記胴支持部の背面側に、被取付部に取り付け可能な取付部を設けるとともに、
背面側において前記口部用開口から上方へ連なり、前記給水ノズルを通すことのできる背部側ノズル通し路を設けた構成となっているので、給水ノズルをボトルホルダーの背部へ向けた状態でも支持させることが可能となる。
【００１４】
この給水ボトルホルダーにおいては、
前記ボトル入れ口を、背面側に比べて前面側の方を低くした構成とすることができる。
【００１５】
このように構成すると、給水ノズルを背部側ノズル通し路に通しやすくなる。
【００１６】
この給水ボトルホルダーにおいては、
前記肩支持部は、平面視で、円弧状とすることができる。
【００１７】
このように構成すると、ボトル本体の肩部を肩支持部で下方から安定した状態で支持することが可能となる。
【図面の簡単な説明】
【００１８】
【図１】本発明に係る給水ボトルホルダーの実施の形態を示す図で、（ａ）は斜視図、（ｂ）は平面図、（ｃ）は正面図、（ｄ）は左側面、（ｅ）は背面図。
【図２】同じく使用状態を示す図で、（ａ）は平面図、（ｂ）は正面図、（ｃ）は左側面図。
【図３】同じく使用法を示す図で、（ａ）は正面図、（ｂ）は左側面図。
【図４】（ａ）は別の使用法を示す左側面図、（ｂ）は別の使用状態を示す左側面図。
【図５】他の実施の形態を示す図で、（ａ）は斜視図、（ｂ）は平面図、（ｃ）は正面図、（ｄ）は左側面。
【図６】同じく使用状態を示す図で、（ａ）は斜視図、（ｂ）は平面図、（ｃ）は正面図、（ｄ）は左側面。
【図７】留め具の一例を示す図で、（ａ）は平面図、（ｂ）は正面図、（ｃ）は右側面図。
【発明を実施するための形態】
【００１９】
以下、本発明に係る給水ボトルホルダーの実施の形態について図面を参照して説明する。なお、各図において、同一部分ないし相当する部分には、同一の符号を付してある。
【００２０】
図１、図２に示すように、この実施の形態の給水ボトルホルダー１０は、給水ノズル２３を備えた給水ボトル２０を、給水ノズル２３が下方に位置するように倒立状態で支持するホルダーである。
【００２１】
給水ノズル２３は、水を収容可能なボトル本体２１の口部２２に取り付けられ、ボトル本体２１内の水をペット（図示せず）に給水可能である。
給水ノズル２３は、平面視（図２（ａ）参照）でボトル本体２１よりも外方へ突出している。
【００２２】
給水ボトルホルダー１０は、ボトル本体２１の肩部２４を下方から支持するとともに、ボトル本体２１の口部２２を下方に突出させる口部用開口１１を形成する肩支持部１４と、
この肩支持部１４から上方へ連なり、ボトル本体２１の胴部２５を倒立させるように外周方向（矢印Ｒ方向）から支持する胴支持部１５と、
この胴支持部１５の上部において設けられ、給水ノズル２３を逃がすノズル逃がし口１２を有し、給水ボトル２０を倒立状態で入れるためのボトル入れ口１３と、
このボトル入れ口１３の前記ノズル逃がし口１２と前記口部用開口１１とに連通し、給水ノズル２３を通すことのできるノズル通し路１６と、
を備えている。
【００２３】
この給水ボトルホルダー１０は上記の構成となっているので、図３に仮想線で示すように、給水ノズル２３が下方に位置するようにして給水ボトル２０を持ち、ボトルホルダー１０の胴支持部１５の上部のボトル入れ口１３に、ノズル通し路１６にノズル２３を通すようにして、給水ボトル２０を入れる。
【００２４】
すると、図２に示したように、ノズル２３はノズル通し路１６を通り、ボトル本体２１の肩部２４が肩支持部１４で下方から支持されて口部用開口１１からボトル本体２１の口部２２が下方に突出するとともに、ボトル本体２１の胴部２５が胴支持部１５によって外周方向から支持され、これによって、給水ボトル２０がボトルホルダー１０によって支持されることとなる。
【００２５】
すなわち、この給水ボトルホルダー１０によれば、給水ノズル２３が下方に位置するようにして給水ボトル２０を持ち、ボトルホルダー１０の胴支持部１５の上部のボトル入れ口１３に、ノズル通し路１６にノズル２３を通すようにして、給水ボトル２０を入れる（落とし込む）だけで、ホルダー１０に給水ボトル２０を保持させることができるため、その操作が容易である。
【００２６】
前記特許文献１に記載のホルダーでは、前述したように、給水管（４）の先端部を長孔（１ｋ）に通し、かつその状態を保ちながら、給水ボトル（２）のキャップ（３）を挟持板部（１ｃ，１ｃ）間に押し入れて、このキャップ（３）をスペーサー（１ｆ，１ｆ）端に接当させて、２枚の挟持板（１ｃ，１ｃ）で挟持させるという作業が必要であり、これらの作業は給水ボトル（２）をもって横方向へ移動させる作業であるから、作業しにくい。
【００２７】
これに対し、この実施の形態のホルダー１０によれば、ボトルホルダー１０の胴支持部１５の上部のボトル入れ口１３に、ノズル通し路１６にノズル２３を通すようにして、給水ボトル２０を入れる（置く）だけでよいから、ホルダー１０への給水ボトル２０のセットが容易である。しかも、この実施の形態では、ボトル入れ口１３とノズル通し路１６との間にテーパー１３ｔを付けているので、ノズル通し路１６にノズル２３を通しやすい。
【００２８】
また、ホルダー１０を低い位置に設置した場合でも、給水ボトル２０をホルダー１０内に置くだけで良いから、かがむ必要もないので膝に優しく、水交換の億劫さの軽減から交換頻度上昇にも貢献し、ペットの衛生健康にもより良い効果が期待できる。
【００２９】
図２に示すように、この実施の形態の給水ボトルホルダー１０では、前記ノズル通し路１６を前面側ノズル通し路１６とし、胴支持部１５の背面側に、被取付部（例えばケージ）３０に取り付け可能な取付部１７を設けてある。取付部１７は公知の適宜の構造のものを採用することができる。
【００３０】
図１に示すように、この実施の形態の給水ボトルホルダー１０では、背面側において前記口部用開口１１から上方へ連なり、前記給水ノズル２３を通すことのできる背部側ノズル通し路１８が設けられている。
【００３１】
このように構成すると、ケージ（３０）の構造にもよるが、例えば図４（ａ）に示すように、給水ボトル２０をホルダー１０内に入れる際、給水ノズル２３をボトルホルダー１０の背部へ向けた状態で、背部側ノズル通し路１８に通すことができるので、例えば図２（ｃ）に示すように給水ノズル２３を前面側に向けて給水ボトル２０をセットした後に給水ボトル２０を１８０度回転させる操作をしないでも、図４（ｂ）に示すように給水ノズル２３をボトルホルダー１０の背部へ向けた状態で支持させることが可能となる。
したがって、例えばケージ（３０）の外側３６にホルダー１０を取り付けた状態で、ケージ（３０）内３５のペットに給水することが容易になる。
【００３２】
図４（ａ）に示すように、ボトル入れ口１３は、背面側１３ｒに比べて前面側１３ｆの方が低くなっている。
【００３３】
このように構成すると、給水ノズル２３を背部側ノズル通し路１８に通す際、ボトル２０とホルダー１０とが干渉しにくくなるので、給水ノズル２３を背部側ノズル通し路１８に通しやすくなる。
【００３４】
主として図１（ｂ）に示すように、肩支持部１４は、平面視で、円弧状となっている。
【００３５】
このように構成すると、ボトル本体２１の肩部２４を肩支持部１４で下方から安定した状態で支持することが可能となる。ボトル本体２１の肩部２４と肩支持部１４とがフィットしやすくなるからである。
【００３６】
給水ボトルホルダー１０は、適宜の材料、例えば、合成樹脂や金属板で構成することができる。
給水ボトル２０は、公知の構造のものを採用することができる。また、ボトル本体２１として公知のペットボトルを用い、その口部２２に、公知の給水ノズル２３を取り付けても良い。
【００３７】
例えば、図５，図６に示すように、給水ボトルホルダー１０は、針金で構成することもできる。
このように構成すると、ボトル２０内の水の減り具合を目視しやすくなる。
【００３８】
なお、図示の給水ボトルホルダー１０は、１本の針金で一筆書き状に構成することができる。
【００３９】
給水ボトルホルダー１０の取付対象である被取付部３０としては、ケージの他、家具の
四角柱の脚、家具の円柱の脚、等を挙げることができる。
【００４０】
前述したように、被取付部に応じて、取付部１７は公知の適宜の構造のものを採用することができる。
被取付部３０がケージである場合、例えば図７に示すような雄ネジ１９ｓ付きの止め具１９を用い、例えば図４（ａ）に示すように取付部１７に設けた雌ネジ１７ｓに雄ネジ１９ｓをネジ結合させ、取付部１７と止め具１９の円板状基部１９ｂとでケージ（例えばケージの柵を形成する針金３１）を挟持することで、ホルダー１０をケージ３０に取り付けることができる。なお、１９ｔは摘まみである。
【００４１】
また例えば、図５に示すように、取付部１７をフック１７ｆで構成し、このフック１７ｆを用いて、図６（ｂ）（ｄ）に示すように、ケージの針金３１に掛け吊りするようにすることもできる。
【００４２】
以上、本発明の実施の形態について説明したが、本発明は上記の実施の形態に限定されるものではなく、本発明の要旨の範囲内において適宜変形実施可能である。
【符号の説明】
【００４３】
１０：    給水ボトルホルダー
１１：    口部用開口
１２：    ノズル逃がし口
１３：    ボトル入れ口
１３ｒ：  背面側
１３ｆ：  前面側
１４：    肩支持部
１５：    胴支持部
１６：    ノズル通し路
１７：    取付部
１８：    背部側ノズル通し路
２０：    給水ボトル
２１：    ボトル本体
２２：    口部
２３：    給水ノズル
２５：    胴部
【要約】
【課題】給水ノズルを有する給水ボトルを保持させる操作が容易な給水ボトルホルダーを提供する。
【解決手段】給水ノズル２３を備えた給水ボトル２０を、給水ノズル２３が下方に位置するように倒立状態で支持するホルダーであり、ボトル本体２１の肩部２４を下方から支持するとともに、ボトル本体２１の口部２２を下方に突出させる口部用開口１１を形成する肩支持部１４と、肩支持部１４から上方へ連なり、ボトル本体２１の胴部２５を倒立させるように外周方向から支持する胴支持部１５と、胴支持部１５の上部において設けられ、給水ノズル２３を逃がすノズル逃がし口１２を有し、給水ボトル２０を倒立状態で入れるためのボトル入れ口１３と、ボトル入れ口１３のノズル逃がし口１２と口部用開口１１とに連通し、給水ノズル２３を通すことのできるノズル通し路１６とを備えている。
【選択図】図２【図１】
0006632176.tif 000002
【図２】
0006632176.tif 000003
【図３】
0006632176.tif 000004
【図４】
0006632176.tif 000005
【図５】
0006632176.tif 000006
【図６】
0006632176.tif 000007
【図７】
0006632176.tif 000008